(57)【要約】【課題】  輝度調整制御ループを使ってパルスによる間欠照射を行うＸ線診断装置において、早期にかつスムースに安定した輝度レベルの画像を得る。【解決手段】  駆動信号生成部が照射開始後は所望の照射レートより高レートのパルスを出力し、（１）該パルスによりＸ線照射部がＸ線を間欠照射し、（２）Ｘ線検出部がＸ線を検出し、（３）誤差検出手段が検出された間欠出力と参照値との誤差を検出し、（４）誤差をパルスのタイミングで更新、保持し、（５）Ｘ線制御部が、Ｘ線照射部の照射強度をパルスの１周期前の誤差に応じて負帰還して変更させる。（６）誤差が少なくなる所定期間（輝度調整制御ループの立ち上がり時間に相当）が判定手段により検知されたとき所望の照射レートのパルスに切り替え、以後、上記（１）〜（５）を実行する。【選択図】      図１
2007082886.tif 000002
【特許請求の範囲】
【請求項１】
所望の照射レートと照射開始指示とを受けて、前記照射開始後の所定期間は前記所望の照射レートより高レートのパルスを出力し、前記所定期間経過後に前記所望の照射レートのパルスに切り替えて出力する駆動信号生成部と、
前記パルスに応答してＸ線を間欠照射するＸ線照射部と、
前記照射されたＸ線を検出するＸ線検出部と、
前記Ｘ線検出部からの間欠出力の大きさと参照値とを比較し、誤差を検出する誤差検出手段と、
前記誤差検出手段からの誤差を前記パルスのタイミングで更新し、保持する誤差保持手段と、
前記Ｘ線照射部に対して、前記パルスで駆動制御するとともに、前記誤差保持手段が保持する該パルスの１周期前の誤差を負帰還させるＸ線制御部とを、備えたことを特徴とするＸ線診断装置。
【請求項２】
前記駆動信号生成部は、少なくとも５倍を超える差の前記低レートのパルスと前記高レートのパルスを操作手段からの指示により選択的に設定可能にされ、所望の照射レートとして該低レートが選択されたときだけ、前記所定期間、前記高レートのパルスを生成し前記所定期間経過後に前記選択された前記低レートのパルスに切り替えて生成し、前記所望の照射レートとして前記高レートが選択されたときは前記高レートのパルスを生成するパルス発生部を備えたことを特徴とする請求項１に記載のＸ線診断装置。
【請求項３】
前記駆動信号生成部は、前記Ｘ線照射部が前記高レートのパルスに応答した場合に前記照射開始指示から前記Ｘ線検出部の出力が前記参照値へ近づくまでの予測期間を前記所定期間として予め記憶し、前記照射開始指示を受けた後から予め記憶している前記予測期間までをカウントしたとき終了信号を出力するタイマーを備え、前記タイマーからの前記終了信号を基に前記パルスのレート切り替えを行うことを特徴とする請求項１又は２に記載のＸ線診断装置。
【請求項４】
前記照射開始指示を受けた後から前記Ｘ線検出部からの出力が前記参照値へ近づいたことを示す判定結果を出力することにより前記所定時間を検知する判定手段を備え、
前記駆動信号生成部は、前記判定手段からの前記判定結果を基に前記パルスのレート切り替えを行うことを特徴とする請求項１又は２に記載のＸ線診断装置。
【請求項５】
所望の照射レートと照射開始指示とを受けて、前記所望の照射レートを記憶する段階と、パルス発生部に対して前記照射開始後に前記所望の照射レートより高レートのパルスを出力させるパルス発生段階と、
前記パルスに応答してＸ線照射部がＸ線を間欠照射する照射段階と、
前記照射されたＸ線をＸ線検出部が検出するＸ線検出段階と、
前記Ｘ線検出部からの間欠出力の大きさと参照値とを比較し、誤差を検出する誤差検出段階と、
前記誤差検出手段からの誤差を前記パルス毎に更新し、保持する誤差保持段階と、
前記Ｘ線照射部に対して、前記パルスで駆動制御するとともに、前記誤差保持手段が保持する該パルスの１周期前の誤差を負帰還させる制御段階と、
前記Ｘ検出部からの間欠出力の大きさが前記参照値に近づいたことを示すタイミング信号を出力する判定段階と、
前記タイミング信号が出力されたとき、前記記憶された所望の照射レートを読み出して、前記パルス発生部に対して該所望の照射レートのパルスに切り替えて出力させ、その後、該所望の照射レートのパルスに基づいて、前記Ｘ線検出段階、前記誤差検出段階、前記誤差保持段階、及び前記制御段階を該パルス毎に実行させる段階と、を備えたことを特徴とするＸ線診断装置の間欠照射制御方法。
【発明の詳細な説明】
【技術分野】
【０００１】
本発明は、Ｘ線を被検体に照射（曝射、放射）して撮像し、撮像されて得られたＸ線画像を診断に用いるＸ線診断装置及びそのＸ線診断装置における間欠照射制御方法に関する。特に、撮像して得られるＸ線画像の輝度レベルを適正に制御する輝度自動制御（Ａｕｔｏｍａｔｉｃ  Ｂｒｉｇｈｔｎｅｓｓ  Ｃｏｎｔｏｒｏｌ：以下、「ＡＢＣ」と言う。）を備えたＸ線診断装置における間欠照射の際に、前記ＡＢＣの応答時間を考慮した繰り返しレートのＸ線照射を行う技術に係る。
【背景技術】
【０００２】
Ｘ線診断装置は、被検体にＸ線を照射して、その被検体からの透過Ｘ線を検出し、その被検体内部の構造を画像化して、可視できる構成を有する。そのとき、Ｘ線の照射量をできるだけ減らすためにＸ線をパルス状に間欠照射していた。一方、良質のＸ線画像を得るために、ＡＢＣによる自動輝度調整を行っていた（特許文献１）。
【０００３】
従来から行われていたパルスを用いた間欠照射の技術については、特許文献１に記載されている。特許文献１の記載によれば、ＡＢＣを用いた間欠照射の場合は、Ｘ線透視画像の輝度レベルを適正値にするためには、パルス状のＸ線を繰り返し照射する必要があり、Ｘ線透視画像の輝度レベルが安定するまでに時間を要しており、特に、パルスによる間欠照射のレートが低い場合に、Ｘ線透視画像の輝度レベルが安定するまで数十秒要することがあった旨の記載がある。
【０００４】
特許文献１の技術は、Ｘ線透視画像の輝度レベルを早期に安定させるために、被検体からの透過Ｘ線量を基に、最適な輝度レベルになるようにパルス幅を制御する（特許文献１ではＡＥＣと呼んでいる。）方法を採用している。つまり、Ｘ線の照射時間を制御している。そして、このＡＥＣにより、Ｘ線管の及び管電流を決定し、その後、自動的にこの決定したＸ線管の管電圧及び管電流の条件で照射して、透過Ｘ線画像を得る構成としている。
【０００５】
このような従来の構成では、当初は、ＡＢＣの制御ループとＡＥＣによる２つの制御ループが動作し、透視画像の輝度レベルが安定するまでになったときに、ＡＢＣ制御による１つの制御ループを遮断して、そのとき決定したＸ線管の管電圧及び管電流の条件で制御すると認められる。しかし、２つの制御ループ動作から、１つの制御ループへの切替、決定した管電圧及び管電流設定の等の具体的手段が複雑になりかねないこと、そしてそれらの切替、設定が必ずしもスムースにいかなかった。
【０００６】
【特許文献１】特開２００３−１１５３９９公報
【発明の開示】
【発明が解決しようとする課題】
【０００７】
本発明は、上記問題を解決するために、ＡＢＣを使ってパルスによる間欠照射を行うＸ線診断装置において、照射開始より所定期間は、操作者が所望とする照射レートより高レートの間欠照射を行わせ、所定期間経過後にスムースに通常の所望の照射レートに切り替えて間欠照射することにより、早期にかつスムースに安定した輝度レベルの画像を得ることを目的とする。
【０００８】
なお、ＡＥＣとともに、照射開始より所定期間、操作者が所望とする照射レートより高レートの間欠照射を行わせる概念については、特許文献１に記載されている。しかし、今日、一般的には、例えば、間欠照射（パルス）のレートを６０，３０，１５，７．５（代表例として、これを境に以上を「高レート」と言い、これ下回るのを「低レート」と言う。），３．７５，２，及び１（いずれも単位：ｐｐｓ）で行われており、所定の輝度レベルに安定するまでの時間の遅さが問題になるのは、低レートの場合であり、高レート、特に６０又は３０ｐｐｓの場合は、ほとんど時間の遅さへの影響が少なくなってくる。したがって例えば、所望の照射レートが２ｐｐｓであっても，そのＡＢＣによる輝度レベルが安定するまでの立ち上がり期間だけレート３０ｐｐｓで動作させ、安定したならば、所望の照射レート２ｐｐｓで動作させる構成にすれば、少なくとも所望の照射レートが３０ｐｐｓと同じ時間でＡＢＣを立ち上げることができる。
なお、レートは、単位時間当たりの繰り返し回数を言う。
【０００９】
ＡＢＣの早期立ち上げについては上記のように着眼するとともに、所定期間の高レートの間欠照射から所望の照射レートの間欠照射へスムースに切り替えることについては、各要素の動作をレート切り替えによって変化するパルス列のタイミングで追随して動作させることにより、パルス発生部におけるレート（間欠照射のレート）切替を行うだけで他の要素が自動的にスムースに動作する構成とした。
【課題を解決するための手段】
【００１０】
請求項１に記載の発明は、所望の照射レートと照射開始指示とを受けて、前記照射開始後の所定期間は前記所望の照射レートより高レートのパルスを出力し、前記所定期間経過後に前記所望の照射レートのパルスに切り替えて出力する駆動信号生成部と、
前記パルスに応答してＸ線を間欠照射するＸ線照射部と、
前記照射されたＸ線を検出するＸ線検出部と、
前記Ｘ線検出部からの間欠出力の大きさと参照値とを比較し、誤差を検出する誤差検出手段と、
前記誤差検出手段からの誤差を前記パルスのタイミングで更新し、保持する誤差保持手段と、
前記Ｘ線照射部に対して、前記パルスで駆動制御するとともに、前記誤差保持手段が保持する該パルスの１周期前の誤差を負帰還させるＸ線制御部とを、備えた。
【００１１】
請求項２に記載の発明は、請求項１に記載の発明において、前記駆動信号生成部は、少なくとも５倍を超える差の低レートのパルスと高レートのパルスを操作手段からの指示により選択的に設定可能にされ、前記所望の照射レートとして該低レートが選択されたときだけ、前記所定期間、前記高レートのパルスを生成し前記所定期間経過後に前記選択された前記低レートのパルスに切り替えて生成し、前記所望の照射レートとして前記高レートが選択されたときは前記高レートのパルスを生成するパルス発生部を備えた。
【００１２】
請求項３に記載の発明は、請求項１又は２に記載の発明において、前記駆動信号生成部は、前記Ｘ線照射部が前記高レートのパルスに応答した場合に前記照射開始指示から前記Ｘ線検出部の出力が前記参照値へ近づくまでの予測期間を前記所定期間として予め記憶し、前記照射開始指示を受けた後から予め記憶している前記予測期間までをカウントしたとき終了信号を出力するタイマーを備え、前記タイマーからの前記終了信号を基に前記パルスのレート切り替えを行う構成とした。
【００１３】
請求項４に記載の発明は、請求項１又は２に記載の発明において、さらに、前記照射開始指示を受けた後から前記Ｘ線検出部からの出力が前記参照値へ近づいたことを示す判定結果を出力することにより前記所定時間を検知する判定手段を備え、
前記駆動信号生成部は、前記判定手段からの前記判定結果を基に前記パルスのレート切り替えを行う構成とした。
【００１４】
請求項５に記載の発明は、所望の照射レートと照射開始指示とを受けて、前記所望の照射レートを記憶する段階と、パルス発生部に対して前記照射開始後に前記所望の照射レートより高レートのパルスを出力させるパルス発生段階と、
前記パルスに応答してＸ線照射部がＸ線を間欠照射する照射段階と、
前記照射されたＸ線をＸ線検出部が検出するＸ線検出段階と、
前記Ｘ線検出部からの間欠出力の大きさと参照値とを比較し、誤差を検出する誤差検出段階と、
前記誤差検出手段からの誤差を前記パルス毎に更新し、保持する誤差保持段階と、
前記Ｘ線照射部に対して、前記パルスで駆動制御するとともに、前記誤差保持手段が保持する該パルスの１周期前の誤差を負帰還させる制御段階と、
前記Ｘ検出部からの間欠出力の大きさが前記参照値に近づいたことを示すタイミング信号を出力する判定段階と、
前記タイミング信号が出力されたとき、前記記憶された所望の照射レートを読み出して、前記パルス発生部に対して該所望の照射レートのパルスに切り替えて出力させ、その後、該所望の照射レートのパルスに基づいて、前記Ｘ線検出段階、前記誤差検出段階、前記誤差保持段階、及び前記制御段階を該パルス毎に実行させる段階と、を備えた。
【発明の効果】
【００１５】
本発明よれば、所望の繰り返しレートと照射開始指示とを受けて、照射手段を駆動するパルスを所定期間は前記所望のレートより高レートのパルスを生成してＸ線照射を行い、その後に所望のレートのパルスに切り替えるだけで、輝度一定になるまでの時間が高レート並みに短時間にし、かつスムースなレート切替ができる。しかも、高レートは、元々操作手段から設定可能にされているレートを使用することができるので、構成も簡単である。
【発明を実施するための最良の形態】
【００１６】
本発明に係るＸ線診断装置及びその間欠照射制御方法の実施形態について、図面を参照しながら説明する。図１は、本実施形態の機能構成を示す図である。図２は、図１の実施形態を変形した実施形態を示す図である。図３は、本実施形態におけるタイミングを説明するための図である。
【００１７】
図１を基に構成を説明する。図１において、Ｘ線管を備えたＸ線照射部１及びＸ線照射部１から被検体を透過してきた透過Ｘ線を検出するＸ線検出部２は、アーム３ａの両端に設けられ、アーム駆動部３により回転、傾斜可能にされている。アーム駆動部３、及び被検体を搭載するベッドを駆動するベッド駆動部４は、メイン制御部７からの制御信号に応じて機械制御部５により制御され、被検体の対象部位を照射するのに適切な位置、傾斜に調整される。
【００１８】
駆動信号生成部１２は、パルス発生部１２ａ、及びシーケンシャル制御手段１２ｂを有する。シーケンシャル制御手段１２ｂは、パネルから操作者により選択設定された所望の低いレート（例えば、２ｐｐｓ）の照射レート（パルスのレートと同じ）の指示と照射開始指示とを受けて、その所望の照射レートを記憶する。そして、パルス発生部１２ａに対して、所望の照射レートより高い予め決められた（例えば３０ｐｐｓ）レートで、かつ設定されたレートのパルスを発生させる。例えば、間欠照射のレートをパネルの操作手段（不図示）により選択設定可能な範囲の例としては、ここでは、６０，３０，１５，７．５（一例として、これを境に以上を「高レート」と言い、これ下回るのを「低レート」と言う。），３．７５，２，及び１（いずれも単位：ｐｐｓ）とする。なお、上記例では、予め決められたレートとして、３０ｐｐｓとしているが、パネルから選択設定できない値、例えば、４５ｐｐｓでも構わない。ただし前者は、元々、パネルから設定できるレートを利用するので、簡単である。
【００１９】
シーケンシャル制御手段１２ｂは、後記する判定手段１１ｄから判定結果を受けたときは、パルス発生部１２ａに対して、予め決められた高レート（３０ｐｐｓ）から記憶しておいた所望の照射レート（２ｐｐｓ）を読み出して、そのレートへ切替を指示する。なお、所望の照射レート（低レート）と所定期間の高レートとの比は、約５倍以上が好ましい。
【００２０】
パルス発生部１２ａは、シーケンシャル制御手段１２ｂからの要求に応じたレートのパルスを生成する。例えば、パルス波形を関数として記憶した記憶手段と、パネルから設定可能にされたレートに対応したクロック信号を発生するクロック発生手段と、シーケンシャル制御手段１２ｂにより指定されたレートに対応する（速度、繰り返し）クロック信号で記憶手段からパルス波形を読み出す読出手段と、読み出した波形をアナログに変換するＤ／Ａ変換器と、で構成される（以上、不図示）。
【００２１】
電源駆動部６は、Ｘ線照射部１のＸ線管のアノードとフィラメント（カソード）との間に高電圧（以下、「管電圧」ということがある。）を印加するための高圧電源部６ａ、及びフィラメントの電流を駆動して、アノードに衝突させる熱電子量を制御することにより、結果としてアノード電流（管電流）を制御するフィラメント電源部６ｂとで構成される。Ｘ線照射部１が駆動信号生成部１２からのパルスに応じた繰り返しでＸ線の照射をオン／オフするためには、高電圧電源６ａの出力をオン／オフさせたり、或いはＸ線管が３極管であればグリッド電圧を制御することより管電流をオン・オフさせることができる。また、Ｘ線照射部１のＸ線照射の強度（曝射量、曝射強度）は、フィラメント電流の制御によって行うことができるが、高電圧電源部６ａの出力電圧、つまり管電圧を可変することでも制御できる。制御方法は、従来から各種のものがあるが、いずれの場合でもＸ線の照射強度が変わる。例えば、特開平２００３−３１７９９７号公報に記載の技術は、管電流を検出してその管電流が制御信号の大きさ（パルス波形）と一致するようにフィラメント電源を制御するものである。
【００２２】
電源駆動部６は、初期時点では、操作パネルから照射強度を決定づける照射条件として管電圧及び／又は管電流の情報を、メイン制御部７及びＸ線制御部７を介して受けて、それらの情報に沿ってＸ線照射部１を制御している。
【００２３】
Ｘ線制御部８は、高圧電源部６ａ及びフィラメント電源部６ｂを制御するためのインタフェースを有し、パルス発生部１２ａから間欠照射するためのパルスを受けて、そのパルスのレートの繰り返しで、電源駆動部６に対してＸ線を間欠照射させる。間欠照射のレートとしては、上記のように、例えば、６０，３０，１５、７．５があり、さらに単位時間あたりのＸ線照射を抑えるために、３．７５，２，及び１（いずれも単位：ｐｐｓ）がある。
【００２４】
輝度調整部１１は、電源駆動部６，Ｘ線照射部１、Ｘ線検出部２及びＸ線制御部８と共に、ＡＢＣを構成（図１の輝度調整ループ構成部）している。
【００２５】
参照電圧生成手段１１ｃは、パネルの操作手段により設定された照射強度をメイン制御部７から受けてその照射強度に応じた参照電圧（参照値）を生成して、誤差検出手段１１ａに送っている。参照電圧は、画像の輝度を調整するためレファレンスとなるものである。また、操作手段により設定された照射強度に応じた参照電圧にすることもなく、別途設定可能にしても良い。
【００２６】
誤差検出手段１１ａは、Ｘ線検出部２から出力される間欠出力の大きさと参照電圧（参照値）とを比較し、その差の電圧を求めて誤差電圧（値）として出力し、誤差電圧保持手段１１ｂに保持させる。誤差検出手段１１ａは、Ｘ線検出部２から出力される間欠出力の一部（パルス幅の最後の部分）をサンプリングして間欠出力の大きさとしている。誤差電圧保持手段１１ｂは、誤差電圧を少なくともパルスの一周期分の期間を保持する。誤差電圧保持手段１１ｂは、パルス発生部１２ａからパルスを受けて、そのパルスのタイミングを基に記憶、保持（或いは更新）、出力を行う。なお、上記説明（以下の説明も同様）における輝度調整部１１は、プログラムとＣＰＵで構成することもできる。そのときは、電圧に代えて値が用いられる。
【００２７】
判定手段１１ｄは、予め設定された基準電圧（範囲）と誤差検出手段１１ａが出力する誤差とを比較し、誤差検出手段１１ａが出力する誤差が基準電圧の範囲内に入ったとき、Ｘ線検出部の出力が参照電圧に近くなった旨の判定結果を出力して、シーケンシャル制御手段１２ｂに対してレート切り替えを行わせる。この判定結果は、誤差が基準電圧の範囲内に入ったときを示すタイミング信号でも良い。基準電圧としては、輝度調整する際の許容範囲になる値が設定される。
【００２８】
Ｘ線制御部８は、上記したようにパルスのレートでＸ線を間欠照射させるとともに、メイン制御部７からのＸ線照射条件で電源駆動部６を制御するが、上記誤差電圧保持手段１１ｂからパルスレートの１周期遅れの誤差電圧を受けて、メイン制御部７からの照射条件（管電圧及び管電流）に対して負帰還になるように加算して、加算した制御条件で電源駆動部を通してＸ線照射部１を制御する。メイン制御部７からの照射条件に対して負帰還になるように加算した制御条件とは、言い換えると、Ｘ線検出部２からの出力の大きさが、参照電圧の範囲を超えて大きいときはＸ線の照射強度が弱くなるように、参照電圧の範囲を下回って小さいときはＸ線の照射強度が強くなるようにして、Ｘ線検出部２からの出力が参照電圧の範囲内に入るように制御する条件である。つまり負帰還させる条件である。
【００２９】
このような負帰還によりＸ線検出部２の出力が一定に調整されたのを受けて、つまり、輝度レベルに安定化したのを受けて画像信号処理部９が撮像した画像を再現する処理をした画像データを生成し、表示部１０が、その画像データに基づく画像を表示する。なお、メイン制御部７は、上記各構成を被検体及びその診断部位に応じた撮像条件を基に制御するためのものである。
【００３０】
次に、図１の構成及び図３のタイムチャートを基に、一連の流れに沿って説明する。一部、重複記載がある。
【００３１】
シーケンシャル制御手段１２ｂは、パネルから操作者により、例えば、所望の照射レートとして２ｐｐｓを選択設定され、かつ照射強度を設定されとともに照射開始指示されたことを受けて、所望の照射レートの２ｐｐｓを選択されたことを記憶する。そして、パルス発生部１２ａに対して、予め決められた３０ｐｐｓレートのパルスを発生させる。設定された照射強度は、メイン制御部７及び電源駆動部６を介して設定され、その照射強度に応じてＸ線照射部１が制御される。
【００３２】
パルス発生部１２ａは、シーケンシャル制御手段１２ｂからの要求に応じたレートのパルスを生成する。パルス発生部１２ａの出力例を図３の（Ａ）に示す。
【００３３】
このパルス発生手段１２ａで生成したパルスは、高電圧駆動部６を駆動させる信号とされる。高電圧駆動部６は、Ｘ線制御部８の制御にしたがってＸ線照射部１を駆動し、Ｘ線照射部１は、このパルスに従って３０ｐｐｓのレートでＸ線を照射するものの、パルスに対するフィラメント等の応答遅れにより、指定された強度で照射できない。したがって、そのときのＸ線検出部２の出力は小さい（図３の（Ｂ））。
【００３４】
誤差検出手段１１ａは、参照電圧生成手段１１ｃからの参照電圧と、Ｘ線検出部２が検出して出力する間欠出力の高さ（大きさ）とを比較し、それらの誤差を演算する（図３（Ｃ））。そのとき、誤差とともに、過不足も判断し、それに対応した符号を誤差に付す。
【００３５】
誤差電圧保持手段１１ｂは、パルス発生部１２ａから送られてくるパルスのタイミングで、少なくともパルスの周期分に相当する時間、誤差を保持し、Ｘ線制御部８へ送る。Ｘ線制御部８は、設定された照射強度（管電圧及び管電流）に対して誤差電圧保持手段１１ｂからの誤差を負帰還するように加えて（誤差には上記のように符号が付いているので、実際は加算，減算の双方があり得る。）、電源駆動部６を制御する。つまり、所定範囲ことにより、Ｘ線検出部２と参照電圧との誤差が無くなるように制御する。
【００３６】
このようにして、輝度調整部１１０、電源駆動部６，Ｘ線照射部１及びＸ線検出部２を含んで構成される輝度調整ループ構成部が、負帰還ループ（ＡＢＣ）を動作することにより、パルス数が増えるに連れ、図３（Ｂ）のようにＸ線検出部の出力は、階段状に参照電圧に近くなってくる。そして、図３（Ｃ）が誤差電圧が階段状に少なくなり、あるいは基準電圧範囲内に入ってくる。
【００３７】
輝度調整部１１０の判定手段１１ｄは、基準電圧と誤差検出手段１１ａが出力する誤差とを比較し、誤差検出手段１１ａが出力する誤差が基準電圧の範囲内になったとき、Ｘ線検出部２の出力が参照電圧に近くなった旨の判定結果を出力する（図３の（Ｄ））。
【００３８】
シーケンシャル制御手段１２ｂは、判定手段１１ｄよりＸ線検出部の出力が参照電圧に近くなった旨の判定結果を受けて、操作者により設定され、最初に記憶しておいた所望のレート２ｐｐｓを読み出して、パルス発生部１２ａに対して、３０ｐｐｓのレートに代えて２ｐｐｓのレートのパルス生成を指示する。以下、所望の照射レートである２ｐｐｓで、所望の強度のＸ線照射が行われる。つまり所望のレートによって輝度調整部１１、電源駆動部６，Ｘ線照射部１及びＸ線検出部２を含んで構成される輝度調整ループ構成部が、パルス毎に応答して動作する。
【００３９】
なお、操作者から設定された所望の照射レートが例えば、３０ｐｐｓのように高レートであれば、シーケンシャル制御手段１２ｂは、そのまま高レートのパルスを生成する。この場合は、判定手段１１ｄの動作は不要である。このようにするのは、ＡＢＣの動作は、高レートであれば、早期に安定化し所望の輝度レベルが得られるからである。
【００４０】
さらに、図２の他の実施形態では、シーケンシャル制御部１２ｄは、ＡＢＣの立ち上がり応答時間を記憶した応答時間メモリと、開始指示から計時を開始し（パルス数をカウントしても良い）、前記応答時間メモリに記憶された時間だけ計時終了するタイマーを備えて、パネルの操作手段によって所望の照射レートが２ｐｐｓの開始指示があったとき、パルス発生部１２ａに対して３０ｐｐｓの高レートのパルス発生を指示し、計時終了のタイミング信号を受けたときは、２ｐｐｓの低レートのパルスを発生させる。これは、ＡＢＣの立ち上がり応答時間が既知であることを利用したものである。
【００４１】
上記の誤差輝度調整部１１、つまり誤差検出手段１１ａ、誤差電圧保持手段１１ｂ及び／又は判定手段１１ｄ、並びに参照電圧生成手段１１ｃは、上記機能を記載したプログラムを記憶するメモリ、そのプログラムを実行するＣＰＵで構成できる。同様に、上記のシーケンシャル制御手段１２ｂもソフトウェアで実現可能である。
【図面の簡単な説明】
【００４２】
【図１】本実施形態の機能構成を示す図である。
【図２】他の実施形態を説明するための図である。
【図３】本実施形態におけるタイミングを説明するための図である。
【符号の説明】
【００４３】
１  Ｘ線照射部
２  Ｘ線検出部
３  アーム駆動部
４  ベッド駆動部
５  機械制御部
６  電源駆動部
７  メイン制御部
８  Ｘ線制御部
９  画像信号処理部
１１  輝度調整部
１２  駆動信号生成部
【図１】
2007082886.tif 000003
【図２】
2007082886.tif 000004
【図３】
2007082886.tif 000005